(57)【要約】【課題】ガス絶縁開閉装置等の密閉型機器を課電端として、損失電流法を用いて電力ケーブルの劣化診断を行う電力ケーブルの劣化診断方法であって、密閉型装置の開封及び密封作業を必要とせず、かつ、精度良く電力ケーブルの劣化診断を行う電力ケーブルの劣化診断方法を提供すること。【解決手段】ガス絶縁開閉装置１内のＥＳ端子部２１の接地側を診断装置３と接続し、該接地側にダミーケーブル５を接続し、ＥＳ端子部２１を閉じて、診断装置３からＥＳ端子部２１を介して電力ケーブル１に課電して第１の劣化信号を測定し、ＥＳ端子部２１を開いてＥＳ端子部２１及びダミーケーブル５に課電して第２の劣化信号を測定し、第１の劣化信号から第２の劣化信号を減じて得られる信号を用いて電力ケーブル１の劣化を診断する。【選択図】図１
2008224217.tif 000002
【特許請求の範囲】
【請求項１】
外部筐体の内部に、電力ケーブルの終端部及び該電力ケーブル導体を接地させるための開閉器を有する接地機構が設けられた密閉型機器を終端部とする電力ケーブルの劣化診断方法であって、
前記外部筐体とは電気的に絶縁された状態で、外部筐体から引き出された上記接地機構の接地側と接地電位間を切り離し、その接地側と試験電圧発生装置を接続するとともに、上記接地側に劣化していないダミーケーブルを接続し、
上記接地機構の開閉器を閉じた状態で、試験電圧を上記接地機構を介して電力ケーブルの導体に印加して、電力ケーブル、ダミーケーブル及び接地機構により生ずる第１の劣化信号を測定し、
次に、上記接地機構の開閉器を開にして、上記試験電圧発生装置から試験電圧を上記接地機構およびダミーケーブルの導体に印加して、接地機構及びダミーケーブルにより生ずる第２の劣化信号を測定し、
上記第１の劣化信号から第２の劣化信号を減算し、この減算した信号を用いて上記電力ケーブルの劣化を診断する
ことを特徴とする電力ケーブルの劣化診断方法。
【請求項２】
上記密閉型機器の外部筐体の内部に、一方の端子が上記終端部と接続され、他方の端子が、外部筐体から引き出されて接地された電力機器が設置されており、
上記電力機器の接地側と、接地電位間を切り離し、この接地側と接地電位との間に信号検出器を設置し、
上記第１の劣化信号の測定に際し、上記信号検出器により、電力機器の接地側から生じる機器信号を検出し、
上記試験電圧を上記接地機構を介して電力ケーブルの導体に印加することにより生ずる第１の劣化信号から上記機器信号を差し引いて第３の劣化信号を求め、この第３の劣化信号から上記第２の劣化信号を減算し、この減算した信号を用いて上記電力ケーブルの劣化を診断する
ことを特徴とする請求項１に記載の電力ケーブルの劣化診断方法。
【発明の詳細な説明】
【技術分野】
【０００１】
本発明は、水トリー劣化した電力ケーブルの絶縁劣化を診断する電力ケーブルの劣化診断方法に関する。
【背景技術】
【０００２】
水トリー劣化したケーブル絶縁体の劣化診断は、絶縁体の絶縁性能という電気的な特性を把握するという観点から、ケーブル絶縁体に電圧を加えてその応答を評価する方法が用いられている。例えば、電力ケーブルに交流電圧を加えたときに流れる電流から損失電流を抽出し、この損失電流中に含まれる第三高調波成分を劣化指標に用いて該電力ケーブルの劣化を診断する損失電流法がある。
ここで、電力ケーブルへの課電方法としては、課電端の形態により、主に下記の２つに分類される。一つの方法は、図８に示すように、気中端子ＥＢ−Ａに課電装置１００を接続して電力ケーブル１に課電する方法である。なお、図８中の２はガス絶縁開閉装置（ＧＩＳ）である。ガス絶縁開閉装置２は、絶縁性が高い６フッ化硫黄（ＳＦ6 ）ガスが充填された密閉容器内に設置された密閉型機器である。もう一つの方法は、図９に示すように、ガス絶縁開閉装置２を開封した上で、該ガス絶縁開閉装置２に課電装置１００を接続して電力ケーブル１に課電する方法である。
【０００３】
従来の電力ケーブルの劣化診断方法には、電力ケーブルが電力系統に接続された状態で、運転電圧により流れる接地線電流を捉え評価する手法があったが、大半の手法においては、診断対象ケーブルを電力系統から切り離す必要があった。特に、上述した図９に示す方法を用いる場合は、試験電圧を課電するために、ガス絶縁開閉装置２内に設けられた電力ケーブルの終端部を露出させなければならないことから、電力ケーブルの劣化診断前に、該ガス絶縁開閉装置２を開封する作業が必要である。また、劣化診断後に開封箇所を密封する作業が必要である。さらに、上記開封、密封作業においてＳＦ6 ガス処理を行う必要がある。その結果、電力ケーブルの劣化診断の付帯作業に多くの労力とコストを要する。
【０００４】
ガス絶縁開閉装置２の開封及び密封作業を要することなく電力ケーブル１に試験電圧を課電して、損失電流法を用いた劣化診断を行う方法として、図１０に示す試験回路を用いて、ガス絶縁開閉装置２のＥＳ端子部２１に診断装置３を接続し、該診断装置３から試験電圧を該ＥＳ端子部２１を介して課電する方法が考えられる。
診断装置３は、試験電圧発生装置を有し、電圧ケーブル１に試験電圧を課電して得られる損失電流に基づいて該電力ケーブル１の劣化を診断する装置である。また、ＥＳ端子部２１は、ガス絶縁開閉装置２の外部筐体２０の内部に設けられ、電力ケーブル導体を接地させるための開閉器２１０を有する接地機構である。ＥＳ端子部２１の接地側は、通常は図示を省略する接地電位に接続されており、上記方法の実施時に、図１０に示すように、診断装置３に接続される。２２は電力ケーブルの終端部であり、２３は断路器（ＤＳ）である。
下記の特許文献１には、機構接地を利用した電力ケーブルの劣化診断方法が記載されている。特許文献１に記載のものは、外部筐体の内部にケーブルの終端部及びこれと接続される機構接地が設けられた密閉型開閉装置において、上記外部筐体から電気的に絶縁された状態で外部に取り出された機構接地の接地側と接地電位間を切り離して、その接地側と試験電圧発生装置を接続し、試験電圧を機構接地を介してケーブルの導体に印加し、該ケーブルから生じる劣化信号を測定して劣化状態を診断するものである。
【特許文献１】特開２００４−３６１２９３号公報
【発明の開示】
【発明が解決しようとする課題】
【０００５】
しかし、図１０に示す試験回路を用いて課電した場合、以下に図１１を参照して説明するように、本来捉えたい電力ケーブル１からの損失電流が、ＥＳ端子部２１の内部において発生する損失電流の影響を受けてしまうという問題がある。
【０００６】
図１１は、損失電流に対するＥＳ端子部からの影響を示すグラフである。図１１のグラフには、図１０に示す試験回路においてＥＳ端子部２１の開閉器２１０を閉じて（ＯＮにして）、ＥＳ端子部２１から課電したときの測定波形（同図太線）と、その比較として、相手端であるＥＢ−Ａ端子から課電したときの測定波形（同図細線）を示している。なお、該グラフの縦軸は損失電流［Ａ］、横軸は時間［ｓｅｃ］である。
図１１のグラフ中に示すＥＳ端子部２１から課電したときの測定波形と、相手端であるＥＢ−Ａから課電したときの測定波形とを比較すると、ＥＳ端子部２１から課電したときの測定波形は大きく歪んでいることが観測される。
これは、課電に伴い、ＥＳ端子部２１内部において第三高調波成分（１５０Ｈｚ信号）を含む損失電流が発生するためと考えられ、本来捉えたい電力ケーブル１からの損失電流がＥＳ端子部２１の影響を受け、ＥＳ端子部２１内部において発生した第三高調波成分と、電力ケーブル１の水トリー劣化に起因した損失電流中の第三高調波とが区別できなくなっている。
従って、図１０に示す試験回路を用いて電力ケーブル１に課電した場合には、本来捉えたい該電力ケーブル１からの損失電流のみを捉えることが難しく、精度良く劣化診断を行うことが困難になると考えられる。
【０００７】
本発明は、上述した事情を考慮してなされたものであって、その目的は、電力ケーブル導体を接地させるための接地機構が設けられたガス絶縁機器などの密閉型機器において、その接地機構を課電端として、損失電流法を用いて電力ケーブルの劣化診断を行うに際し、上記接地機構で発生する損失電流の影響を受けずに、精度よく電力ケーブルの劣化診断を行なうことができる密閉型装置の開封及び密封作業を必要としない電力ケーブルの劣化診断方法を提供することである。
【課題を解決するための手段】
【０００８】
上記課題を解決するため、本発明は、次のようにして前記課題を解決する。
（１）外部筐体の内部に、電力ケーブルの終端部及び該電力ケーブル導体を接地させるための開閉器を有する接地機構が設けられた密閉型機器を終端部とする電力ケーブルの劣化診断方法を用いる。上記外部筐体とは電気的に絶縁された状態で、外部筐体から引き出された上記接地機構の接地側と接地電位間を切り離し、その接地側と試験電圧発生装置を接続するとともに、上記接地側に劣化していないダミーケーブルを接続する。そして、上記接地機構の開閉器を閉じた状態で、試験電圧を上記接地機構を介して電力ケーブルの導体に印加して、電力ケーブル、ダミーケーブル及び接地機構により生ずる第１の劣化信号を測定する。次に、上記接地機構の開閉器を開にして、上記試験電圧発生装置から試験電圧を上記接地機構およびダミーケーブルの導体に印加して、接地機構及びダミーケーブルにより生ずる第２の劣化信号を測定する。そして、上記第１の劣化信号から第２の劣化信号を減算し、この減算した信号を用いて上記電力ケーブルの劣化を診断する。
（２）上記密閉型機器の外部筐体の内部に、一方の端子が上記終端部と接続され、他方の端子が、外部筐体から引き出されて接地された電力機器が設置されている。上記電力機器の接地側と、接地電位間を切り離し、この接地側と接地電位との間に信号検出器を設置する。上記第１の劣化信号の測定に際し、上記信号検出器により、電力機器の接地側から生じる機器信号を検出する。そして、上記試験電圧を上記接地機構を介して電力ケーブルの導体に印加することにより生ずる第１の劣化信号から上記機器信号を差し引いて第３の劣化信号を求め、この第３の劣化信号から上記第２の劣化信号を減算し、この減算した信号を用いて上記電力ケーブルの劣化を診断する。
【発明の効果】
【０００９】
本発明においては、以下の効果を得ることができる。
（１）本発明の電力ケーブルの劣化診断方法は、密閉型機器の外部筐体と電気的に絶縁された状態で、外部筐体から引き出された接地機構の接地電位間を切り離し、その接地側に課電するが、その際、接地側に劣化していないダミーケーブルを接続して、損失電流を測定する。これにより、接地機構から発生する損失電流が、診断対象である電力ケーブルと上記ダミーケーブルとに分流されるため、診断装置に流入する接地機構からの損失電流を低減させることができる。
（２）また、上記のようにダミーケーブルを接続し、電力ケーブル、ダミーケーブル及び接地機構により生ずる第１の劣化信号を測定し、次に接地機構及びダミーケーブルにより生ずる第２の劣化信号を測定し、上記第１の劣化信号から第２の劣化信号を減算して、電力ケーブルのみにより生ずる劣化信号（損失電流）を取得し、取得した劣化信号を用いて、電力ケーブルの劣化を診断することにより、密閉型機器の開封及び密封等の作業を行なうことなく、密閉型機器を課電端として電力ケーブルの劣化診断を精度よく行なうことができる。
（３）本発明の電力ケーブルの劣化診断方法は、密閉型機器の外部筐体の内部に、電力機器が設置されている場合、上記第１の劣化信号の測定に際し、電力機器の接地側から生じる機器信号を検出して、検出された機器信号を測定された第１の劣化信号から減じて、第３の劣化信号を求め、この第３の劣化信号から上記第２の劣化信号を減算して、電力ケーブルのみにより生ずる劣化信号（損失電流）を取得し、取得した劣化信号を用いて、電力ケーブルの劣化を診断する。従って、本発明によれば、密閉型機器の外部筐体の内部に、電力機器が設置されている場合であっても、精度良く電力ケーブルの劣化診断を行うことができる。
【発明を実施するための最良の形態】
【００１０】
以下に、図を用いて、本発明の実施の形態について説明する。図１は、本発明の第１の実施の形態に係る電力ケーブルの劣化診断方法を実施する試験回路の構成例である。図１中、２、２−１はガス絶縁開閉装置である。ガス絶縁開閉装置２、２−１は、図１０を参照して説明したガス絶縁開閉装置２と同様の構成を有する。
ガス絶縁開閉装置２の外部筐体２０の内部に設けられているＥＳ端子部２１の接地側は、外部筐体２０から電気的に絶縁された状態で、外部筐体２０から引き出されており、通常は、接地電位に接続されている。
本発明の電力ケーブルの劣化診断方法の実施時には、ＥＳ端子部２１の接地側が接地電位から切り離され、ＥＳ端子部２１の接地側と診断装置３が高圧配線４により接続され、ダミーケーブル５がＥＳ端子部２１の接地側に接続される。
ダミーケーブル５は、例えばケーブルドラム６に収容され、前述したように、接地機構から発生する損失電流を分流し、診断装置に流入する接地機構からの損失電流を低減させるためのものである。
【００１１】
図１に示す例では、ダミーケーブル５として、例えば劣化していない長さ５０ｍ、断面積１００ｍｍ2 の２２ｋＶＣＶケーブルを用いているが、本発明の実施の形態において用いられるダミーケーブル５は、上記の規格のケーブルに限定されない。
診断装置３に流入するＥＳ接地部２１からの劣化信号が、電力ケーブルの劣化信号に対して相対的に小さくなるように、診断対象となる電力ケーブル１とダミーケーブル５との静電容量比を選定すればよく、ダミーケーブル５としては、診断対象となる電力ケーブル１の静電容量に応じて、予め決められた様々な規格のケーブルを用いることができる。
例えば、診断対象となる電力ケーブル１の静電容量が５０ｎＦの場合、ダミーケーブル５として長さ２００〜４００ｍ、断面積１４ｍｍ2 の６ｋＶＣＶケーブルを用いる。また、診断対象となる電力ケーブル１の静電容量が１００ｎＦの場合、ダミーケーブル５として長さ４００〜１０００ｍ、断面積１４ｍｍ2 の６ｋＶＣＶケーブルを用いる。
【００１２】
診断装置３は、試験電圧発生器３１、電流検知器３２、測定器３３を備える。試験電圧発生器３１は、電圧ケーブル１の劣化診断に適応する試験電圧を発生する。電流検知器３２は、配線４に流れる損失電流を検出する。測定器３３は、検出された損失電流を測定解析して、該電力ケーブル１の劣化状態を診断する。
上記試験回路を用いた電力ケーブル１の劣化診断方法を説明すると、まず、ＥＳ端子部２１の接地側と接地電位間を切り離す。そして、図１に示すように、その接地側と診断装置３とを高圧配線４を介して接続する。
次に、ダミーケーブル５を上記ＥＳ端子部２１の接地側と診断装置３とに接続する。これによりダミーケーブル５が電力ケーブル１に並列に接続され静電容量が大きくなる。
次に、図２（Ａ）に示すように、ＥＳ接地部２１の開閉器２１０を閉じた状態（ＯＮ）とする。この状態で、診断装置３が備える試験電圧発生器３１から試験電圧を発生し、高圧配線４、ＥＳ端子部２１を介して電力ケーブル１の導体に課電する。該課電により発生する損失電流を診断装置３の電流検知器３２により検出して、測定器３３に取り込み、第１の劣化信号として例えば図示を省略する所定のバッファ内に記憶する。
【００１３】
上記第１の劣化信号には、診断対象となる電力ケーブル１から発生する損失電流とＥＳ端子部２１から発生する損失電流とダミーケーブル５から発生する損失電流が含まれている。但し、上述したように、ダミーケーブル５が、電力ケーブル１に並列に接続され、静電容量が大きくなっているので、ダミーケーブル５を接続せずに課電する場合と比べて、ＥＳ端子部２１からの損失電流の影響が緩和されている。
すなわち、ＥＳ端子部２１の静電容量は小さいため、上記ダミーケーブル５がないと、診断装置において検出されるＥＳ端子部２１の劣化信号の電流測定感度が、電力ケーブルの劣化信号の電流測定感度に対して大きくなり、前述したように電力ケーブル１の劣化信号を検出するのが難しくなる。
一方、ダミーケーブル５を接続することにより、ＥＳ端子部２１から発生する損失電流が、電力ケーブル１とダミーケーブル５とに分流（静電容量比）され、これにより診断装置３に流入するＥＳ端子部２１からの損失電流が相対的に低減されるものと考えられ、電力ケーブル１の劣化信号を検出し易くなる。
【００１４】
次に、図２（Ｂ）に示すように、ＥＳ接地部２１の開閉器２１０を開く（ＯＦＦにする）。この状態で、診断装置３が備える試験電圧発生器３１から試験電圧を課電し、ＥＳ端子部２１及びダミーケーブル５の導体に印加する。該課電により発生する損失電流を診断装置３が備える電流検知器３２で検出し、測定器３３に取り込み第２の劣化信号として、例えば所定のバッファ内に記憶する。上記第２の劣化信号には、ＥＳ端子部２１から発生する損失電流とダミーケーブル５から発生する損失電流とが含まれている。
そして、診断装置３が備える測定器３３において、上記バッファに記憶された第１の劣化信号から第２の劣化信号を減算して、電力ケーブル１のみから発生した損失電流を求める。そして、測定器３は、求まった該損失電流に基づいて、該電力ケーブル１の劣化状態を診断する。
【００１５】
図３は、本発明の第１の実施の形態に係る損失電流算出処理フローを示す図である。まず、ＥＳ接地部２１の開閉器２１０を閉じた状態で、試験電圧をＥＳ端子部２１を介して電力ケーブル１の導体に課電し、電力ケーブル１、ＥＳ端子部２１、ダミーケーブル５から発生する損失電流を第１の劣化信号として取得する（ステップＳ１）。
次に、ＥＳ接地部２１の開閉器２１０を開いて、試験電圧をＥＳ端子部２１及びダミーケーブル５の導体に課電し、ＥＳ端子部２１、ダミーケーブル５から発生する損失電流を第２の劣化信号として取得する（ステップＳ２）。
そして、第１の劣化信号から第２の劣化信号を減算して、電力ケーブル１のみから発生した損失電流を算出する（ステップＳ３）。
【００１６】
図４は、ダミーケーブル接続の効果を説明する図である。
図４（Ａ）は、ダミーケーブル５を接続しないで、開いた状態のＥＳ端子部２１に課電した場合に測定される損失電流波形を示し、図４（Ｂ）は、ダミーケーブル２１を接続して、開いた状態のＥＳ端子部２１に課電した場合に測定される損失電流波形を示している。また、図４（Ｃ）は、ダミーケーブルを接続して、閉じた状態のＥＳ端子部２１に課電した場合に測定される損失電流波形を示している。課電する試験電圧は、いずれも１２ｋＶである。
図４（Ａ）の測定結果と図４（Ｂ）の測定結果とを比較すると、ダミーケーブル２１を接続したことによって、損失電流の大きさが小さくなっていることがわかる。
【００１７】
図５は、本発明の第１の実施の形態に係る電力ケーブルの劣化診断方法による診断結果の検証例を示す図である。図５中に示すグラフの縦軸は、測定された損失電流に含まれる第三高調波の大きさを示し、横軸は、該第三高調波の位相を示す。
この例では、試験電圧１２ｋＶを課電して検証を行った。図５中に示す四角形の表示は、撤去ケーブル（診断対象となる電力ケーブル１）のみから発生する劣化信号（真値の信号）を示している。この例では、撤去ケーブルとして、長さ１０ｍ、断面積１５０ｍｍ2 の６６ｋＶＣＶケーブルを用いた。
円形の表示は、前述した第１の劣化信号を示し、×印の表示は、前述した第２の劣化信号を示し、三角形の表示は、前述した図３のステップＳ３の処理によって算出された信号（第１の劣化信号から第２の劣化信号を減算した結果得られる信号）を示している。
【００１８】
図５中の点線の円で囲った部分に示すように、第１の劣化信号から第２の劣化信号を減算した結果得られる信号は、真値の信号とほぼ一致している。従って、本発明の第１の実施の形態に係る電力ケーブルの劣化診断方法によれば、真値の信号に極めて近い損失電流を取得することができ、その結果、精度のよい劣化診断結果を得られることがわかる。
【００１９】
本発明によれば、ガス絶縁開閉装置２の開封及び密封等の作業を行なうことなく、ガス絶縁開閉装置２の接地機構を課電端として、精度よく電力ケーブルの劣化検出を行なうことができる。このため、ガス絶縁開閉装置２のガス処理を回避することができ、従来のようにガス絶縁開閉装置２の開封及び密封等の作業をする場合に比べ、大幅のコストダウンが実現できる。
さらに、ガス絶縁開閉装置２のガス処理に伴う発注手続、工事管理業務等の労働拘束時間を削減することができる。また、線路停止時間の短縮による客先に対する信頼を確保することができる。
【００２０】
図６は、本発明の第２の実施の形態に係る電力ケーブルの劣化診断方法を実施する試験回路の構成例である。図６に示す試験回路の構成要素のうち、前述した図１に示す試験回路の構成要素と同符号のものは、図１に示す試験回路の構成要素と同様である。図１に示すガス絶縁開閉装置１０の外部筐体２０内には、例えば計器用変圧器２４１及び避雷器２４２からなる電力機器２４が、外部筐体２０から電気的に絶縁された状態で設けられている。
該電力機器２４の一方の端子は電力ケーブルの終端部２２と接続され、他方の端子は、通常、外部筐体２０から引き出されて図示を省略する接地電位に接続されている。
本発明の電力ケーブルの劣化診断方法の実施時には、信号検出器２５が上記電力機器２４の接地側と接地間に接続される。該信号検出器２５は、診断装置３からＥＳ接地部２１への課電に伴って上記電力機器２４の接地側から生じる機器信号を検出するものであり、この検出信号は、診断装置３の測定装置３３に送られる。なお、前述したように、ＥＳ端子部２１の接地側は、外部筐体２０から電気的に絶縁されており、通常は接地電位に接続されている。
【００２１】
上記試験回路を用いた電力ケーブル１の劣化診断方法を説明すると、まず、ＥＳ端子部２１の接地側と接地電位間を切り離す。そして、図８に示すように、その接地側と診断装置３とを高圧配線４を介して接続する。次に、ダミーケーブル５を上記ＥＳ端子部２１の接地側に接続する。
次に、ＥＳ接地部２１の開閉器２１０を閉じた状態（ＯＮ）とする。この状態で、診断装置３が備える試験電圧発生器３１から試験電圧を、高圧配線４、ＥＳ端子部２１を介して電力ケーブル１の導体に課電する。該課電により発生する損失電流を診断装置３が備える電流検知器３２が検出し、測定器３３は第１の劣化信号として例えば図示を省略する所定のバッファ内に記憶する。また、信号検出器２５が、該課電に伴って上記電力機器２４の接地側から生じる機器信号を検出し、検出した機器信号を診断装置３の測定装置３３に送る。測定装置３３は送信された機器信号を例えば所定のバッファ内に記憶する。
【００２２】
上記第１の劣化信号には、診断対象となる電力ケーブル１から発生する損失電流とＥＳ端子部２１から発生する損失電流と電力機器２４から発生する機器信号とダミーケーブル５から発生する損失電流が含まれている。したがって、上記第１の劣化信号から上記機器信号を減算することにより、診断対象となる電力ケーブル１から発生する損失電流とＥＳ端子部２１から発生する損失電流とダミーケーブル５から発生する損失電流を求めることができる。
【００２３】
次に、ＥＳ接地部２１の開閉器２１０を開く（ＯＦＦにする）。この状態で、診断装置３が備える試験電圧発生器３１が、試験電圧を発生し、ＥＳ端子部２１及びダミーケーブル５の導体に課電する。該課電により発生する損失電流（第２の劣化信号）を診断装置３が備える電流検知器３２が検出し、測定器３３が、該第２の劣化信号を所定のバッファ内に記憶する。上記第２の劣化信号には、ＥＳ端子部２１から発生する損失電流とダミーケーブル５から発生する損失電流とが含まれている。なお、ここでは、ＥＳ接地部２１の開閉器２１０を開いているので、電力機器２４には機器信号は流れず、信号検出器２５により、機器信号は検出されない。
診断装置３が備える測定器３３が、上記バッファに記憶された第１の劣化信号から機器信号を減算して、電力ケーブル１から発生する損失電流とＥＳ端子部２１から発生する損失電流とダミーケーブル５から発生する損失電流とからなる第３の劣化信号を算出する。  そして、測定器３３が、上記第３の劣化信号から第２の劣化信号を減算して、電力ケーブル１のみから発生した損失電流を求める。そして、測定器３は、求まった該損失電流に基づいて、該電力ケーブル１の劣化状態を診断する。
【００２４】
図７は、本発明の第２の実施の形態に係る損失電流算出処理フローを示す図である。まず、ＥＳ接地部２１の開閉器２１０を閉じた状態で、試験電圧をＥＳ端子部２１を介して電力ケーブル１の導体に課電し、電力ケーブル１、ＥＳ端子部２１、電力機器２４、ダミーケーブル５から発生する損失電流を第１の劣化信号として取得するとともに、電力機器２４から発生する機器信号を取得する（ステップＳ１１）。
次に、ＥＳ接地部２１の開閉器２１０を開いて、試験電圧をＥＳ端子部２１及びダミーケーブル５の導体に課電し、ＥＳ端子部２１、ダミーケーブル５から発生する損失電流を第２の劣化信号として取得する（ステップＳ１２）。
次に、第１の劣化信号から機器信号を減算して第３の劣化信号を取得する（ステップＳ１３）。そして、第３の劣化信号から第２の劣化信号を減算して、電力ケーブル１のみから発生した損失電流を算出する（ステップＳ１４）。
【００２５】
本発明の第２の実施の形態によれば、ガス絶縁開閉装置２が、外部筐体２０の内部に電力機器２４が設けられた構成をとる場合においても、課電に伴って電力機器２４から発生する機器信号を検出し、上記第１の劣化信号から該検出された機器信号を差し引いた第３の劣化信号を求め、該第３の劣化信号から上記第２の劣化信号を減算して電力ケーブル１のみから発生した損失電流を取得することができる。その結果、精度良く電力ケーブル１の劣化診断を行うことができる。
【図面の簡単な説明】
【００２６】
【図１】本発明の第１の実施の形態に係る電力ケーブルの劣化診断方法を実施する試験回路の構成例である。
【図２】本発明の第１の実施の形態に係る電力ケーブルの劣化診断方法を説明する図である。
【図３】本発明の第１の実施の形態に係る損失電流算出処理フローを示す図である。
【図４】ダミーケーブル接続の効果を説明する図である。
【図５】本発明の第１の実施の形態に係る電力ケーブルの劣化診断方法による診断結果の検証例を示す図である。
【図６】本発明の第２の実施の形態に係る電力ケーブルの劣化診断方法を実施する試験回路の構成例である。
【図７】本発明の第２の実施の形態に係る損失電流算出処理フローを示す図である。
【図８】従来の電力ケーブルへの課電方法を示す図（１）である。
【図９】従来の電力ケーブルへの課電方法を示す図（２）である。
【図１０】従来の試験回路を示す図である。
【図１１】損失電流に対するＥＳ端子部からの影響を示すグラフである。
【符号の説明】
【００２７】
１  電力ケーブル
２、２−１、１０  ガス絶縁開閉装置
３  診断装置
４  高圧配線
５  ダミーケーブル
６  ケーブルドラム
７  配線
２０  外部筐体
２１  ＥＳ端子部
２２  電力ケーブルの終端部
２３  断路器
２４  電力機器
２５  信号検出器
３１  試験電圧発生器
３２  電流検知器
３３  測定器
１００  課電装置
２１０  開閉器
２４１  計器用変圧器
２４２  避雷器
ＥＢ−Ａ  気中端子
【図１】
2008224217.tif 000003
【図２】
2008224217.tif 000004
【図３】
2008224217.tif 000005
【図４】
2008224217.tif 000006
【図５】
2008224217.tif 000007
【図６】
2008224217.tif 000008
【図７】
2008224217.tif 000009
【図８】
2008224217.tif 000010
【図９】
2008224217.tif 000011
【図１０】
2008224217.tif 000012
【図１１】
2008224217.tif 000013